(57)【要約】【課題】簡単な構成でありながら、施工も容易で、しかも軸組の補強効果が極めて高く大地震等にも十分対応することができる耐震補強用金具を提供する。【解決手段】  耐震補強用金具を、Ｌ字型金具４と、このＬ字型金具４の側面に嵌合される面状金具５とから構成する。Ｌ字型金具４には、３箇所の凹部４ａ、４ｂ及び４ｃを形成し、この凹部４ａ、４ｂ及び４ｃに対応して、面状金具５にはその端部から直角に折曲して設けられた３箇所の舌片５ａ、５ｂ及び５ｃを形成する。そして、これら凹部４ａ、４ｂ及び４ｃに舌片５ａ、５ｂ及び５ｃを嵌合する。また、Ｌ字型金具４に金具の補強を兼ねたボルト貫通孔６ａ、６ｂ及び６ｃを有する３箇所の凸部６を設けると共に、ラグスクリューネジ７を挿通する複数のネジ孔７ａを穿設し、面状金具５には筋交い９の一端をボルト止めするためのボルト貫通孔５ｄを複数箇所に穿設する。【選択図】  図１
2006161322.tif 000002
【特許請求の範囲】
【請求項１】
木造建築物の柱、梁及び桁の接合角隅部に取り付け固定される略Ｌ字型金具と、このＬ字型金具の側面に嵌合されると共に筋交いを固定する面状金具とからなることを特徴とする耐震補強金具。
【発明の詳細な説明】
【技術分野】
【０００１】
本発明は、木造建築物の柱、梁等の建築用木材の耐震補強用金具に関し、とくに木造建築物の軸組みを構成する構造部材同士の接合部に設置して耐震補強のために使用される金具に関するものである。
【背景技術】
【０００２】
従来、木造建築物は、通常コンクリート基礎の上に土台を構築し、その上に通し柱、管柱、大引、根太、筋交い、梁、胴差、桁などを順次構築して軸組が構築され、その軸組に床、壁、窓、天井、屋根などが築造される。木造建築物では、土台と柱、土台と根太、柱と桁などの構造材をホゾとホゾ穴との組合せや軸接続構造等で接合して軸組みとしているが、その接合部に補強金具を配置して、耐震補強するようにしている。このような補強金具としても、従来から種々の形状・構造のものが提供されている。しかしながら、補強金具は釘やネジで軸組構造材に止め付けていたことから、地震時に接合部分を支点とする揺れによって、補強金具と軸組構造材とが離反する方向に力が作用して補強金具と軸組構造材とを結合している釘やネジが脱落し、補強が充分に発揮できないことがあった。そこで、釘やネジを太くして脱落を抑制するようにすることも考えられるが、その場合には、木口部分に割れが生じるという問題があった。
【０００３】
このように、木造建築物は、大地震などへの十分な耐久強度が確保されていないのが現状である。このため、近年、新築はもとより、既設の建築物においても耐震補強工事が行われている。耐震補強工事としては、通常、三角形状の補強金具を土台と柱部、柱と梁などに固定して筋交いを構成することが行われており、この補強金具に関する多くの従来技術が存在する（例えば、特許文献１参照。）。これはＬ字断面形状をＬ字状に連続させたアングルの横壁部分間を二つの補強プレートでつなぎ、このアングルの縦壁部分に係止プレートを固定し、これにアンカープレートを係止して補強効果を増強するものである。
【０００４】
【特許文献１】特開平８−２４６５５９号公報
【発明の開示】
【発明が解決しようとする課題】
【０００５】
しかしながら、特許文献１に示された耐震補強のための三角形状の補強金具は、一般構造を簡単にすると補強効果が劣り、これを高めるためには多くの補強プレートや補助的な補強部材などを他に追加する必要があり構造が複雑になり、且つ施工作業も煩雑なものになる。本発明は上記のような課題に鑑みなされたもので、作業効率を低下させることなく、簡単な構成でありながら、施工も容易で、しかも軸組の補強効果が極めて高く大地震等にも十分対応することができる耐震補強用金具を提供することを目的とする。
【課題を解決するための手段】
【０００６】
この目的を達成する本発明は、木造建築物の柱、梁及び桁の接合角隅部に取り付け固定される略Ｌ字型金具と、このＬ字型金具の側面に嵌合されると共に筋交いを固定する面状金具とからなることを特徴とする。
【０００７】
この金具の形状は、一側面当接片と他側面当接片からなる略Ｌ字型、すなわちＬ字型又はこれに類似したコ字型に形成する。金具の本体部を構成する一側面当接片、他側面当接片は、それぞれ角材の接合部凹部に当接して使用する。
【０００８】
すなわち、一方の構造材の一側面に当てられる一側面当接片と、これに対し直角方向の他方の構造材の一側面に当てられる他側面当接片とを有し、両者を一体に連接して略Ｌ字型の形状を呈する。一側面当接片及び他側面当接片の双方には、単数又は複数のボルト挿通用孔並びにラグスクリューネジ挿通用孔を設ける。
【０００９】
この金具を木造建築物の軸組構造材の耐震補強用として土台材と柱材との接合部分に設置して使用する場合、土台材に形成されたホゾ穴に柱材の木口に形成したホゾを嵌め合わせて土台材上に柱材が立設されることになるから、例えば、一対の金具を用いて接続部の木口を有する柱材に一側面取付片が、土台材に他側面取付片がそれぞれ位置する状態に取付ける。そして、柱材を挟持した状態で柱材側の一側面取付片同士を貫通ボルトでもって緊締すると共に、基礎コンクリーに予め下端側を埋設して立設された貫通ボルトでもって各々の土台材を挟持した状態で他側面取付片を緊締する。その際、各取付片には複数の木ネジ挿通孔を穿設しておき、各々の木材に皿頭ネジのような小径ネジを使用して各取付片と軸組構造材にさらにしっかりと止め付ける。
【００１０】
さらに、Ｌ字型金具の側面に嵌合した面状金具に、筋交いの一端側をボルトで固定する。尚、金具を、土台材と根太材の連結あるいは土台材同士の連結のように、水平面内で軸接合するような軸組構造材に適用した場合には、根太材や連結される土台材のように接続部に木口を有する部材に長手な取付片が、土台材に短手な取付片がそれぞれ位置する状態で取り付けると引き抜き強度上好ましい。
【発明の効果】
【００１１】
本発明の金具を使用すれば、構造材であれば家屋の柱、梁に限らず、橋、廊下、櫓などの所期の強度を必要とする木製構造物に幅広く適用することができる。さらに、地震等に伴なう軸組構造材の振動による木口からの割れを抑制すると共に、振動に伴う振幅が大きくなる接合部に十分な固定力を付与することができ、軸組の破壊を防止できる。すなわち、本発明の金具は、軸組み工程での作業性を大幅に向上することができるばかりでなく、耐震補強工事にも只一種類の金具を用いて容易に対応できるという高い汎用性を有する。
【発明を実施するための最良の形態】
【００１２】
以下、本発明の実施の形態を図面に示す実施例に基づいて説明する。
図１は本発明に係る耐震補強用金具の詳細構造を示す分解斜視図、図２は本発明に係る耐震補強用金具の使用状態を示す斜視図、図３は本発明に係る金具を土台材と柱材との間に使用した状態を示す正面図である。
【実施例１】
【００１３】
図１及び図２に示すように、本発明に係る耐震補強金具は、Ｌ字型金具４とこのＬ字型金具４の側面に嵌合される面状金具５とから構成される。Ｌ字型金具４には、３箇所の凹部４ａ、４ｂ及び４ｃが形成され、この凹部４ａ、４ｂ及び４ｃに対応して、面状金具５にはその端部から直角に折曲して設けられると共に、複数のネジ挿通孔７ａが穿設された３箇所の舌片５ａ、５ｂ及び５ｃが形成されている。そして、図２に示すように、これら凹部４ａ、４ｂ及び４ｃに舌片５ａ、５ｂ及び５ｃを嵌合できるようにされている。
【００１４】
また、Ｌ字型金具４には金具の補強を兼ねたボルト貫通孔６ａ、６ｂ及び６ｃを有する３箇所の凸部６が設けられると共に、ラグスクリューネジ７を挿通する複数のネジ孔７ａが穿設されている。また、面状金具５には筋交い９の一端をボルト止めするための複数のボルト貫通孔５ｄが穿設されている。そして、筋交い９の傾斜角度に応じて任意箇所のボルト貫通孔５ｄが使用できるようにされている。
【００１５】
図３に示すように、この補強金具を使用する場合には、貫通ボルト１０及び小径のラグスクリューネジ７等で固定する。例えば、木造建築物の軸組構造材である土台材２と柱材１との接合角隅部分に使用する場合、土台材２に形成されたホゾ穴に柱材１の木口に形成したホゾを嵌め合わせて土台材２上に柱材１を立設させ、一対のＬ字型金具４を接続部の柱材１に一側面当接片が、土台材２に他側当接片がそれぞれ位置する状態で左右に取付ける。そして、土台材２側の当接片のボルト挿通孔６ｃには、予めコンクリート基礎３に埋設されると共に土台材２を貫通して設けられたアンカーボルト１１の上端を挿通させ、ナット８で締結する。また、柱材１側の当接片は、貫通ボルト１０を互いのボルト挿通孔６ａ及び６ｂに挿通させて当接片同士をナット８で締結する。さらに、各当接片の複数箇所には皿頭ネジのような小径ネジ（ラグスクリューネジ）７を螺着して各取付片を面状金具５の舌片５ａ、５ｂ及び５ｃと共に軸組構造材にしっかりと止め付ける。また、この場合、Ｌ字型金具のコーナー部には補強用の傾斜板４ｄを溶接して取り付けるのが好ましい。さらに、対角状に２本の筋交い９を構築する場合、面状金具５を対向配置すれば、筋交い９同士が交差する点で互いに干渉することなく取り付けることができる。
【００１６】
尚、上述の実施例では、土台材と柱材、あるは柱材と梁材との接合部に使用する例について説明したが、これを柱材と桁材や束材との接合部に使用するようにしても良い。さらに、この耐震補強金具は、新築時だけではなく、既設の木造建築物の耐震補強に使用することができる。
【産業上の利用可能性】
【００１７】
以上のごとく本発明によれば、地震等に伴なう振動による補強金具の離脱を抑制することができ軸組み構造材の破壊を可及的に防止できる。
【図面の簡単な説明】
【００１８】
【図１】本発明に係る耐震補強用金具の詳細構造を示す分解斜視図である。
【図２】本発明に係る耐震補強用金具の使用状態を示す平面図である。
【図３】本発明に係る金具を土台材と柱材との間に使用した状態を示す正面図である。
【符号の説明】
【００１９】
１      柱材（構造材）
２      土台材（構造材）
３      コンクリート基礎
４      Ｌ字型金具
４ａ    Ｌ字型金具の凹部
４ｂ    Ｌ字型金具の凹部
４ｃ    Ｌ字型金具の凹部
４ｄ    補強用の傾斜板
５      面状金具
５ａ    面状金具の舌片
５ｂ    面状金具の舌片
５ｃ    面状金具の舌片
５ｄ    ボルト貫通孔
６      Ｌ字型金具の凸部
６ａ    ボルト貫通孔
６ｂ    ボルト貫通孔
６ｃ    ボルト貫通孔
７      ラグスクリューネジ
７ａ    ネジ挿通孔
７ｂ    ネジ挿通孔
８      ナット
９      筋交い
１０    貫通ボルト
１１    アンカーボルト
【図１】
2006161322.tif 000003
【図２】
2006161322.tif 000004
【図３】
2006161322.tif 000005